(57)【特許請求の範囲】
【請求項１】
指向軸をマイクロホン本体の主軸と一致させて配置された狭指向性のミッド用コンデンサマイクロホンユニットと、
指向軸を上記主軸に直交する方向に向けかつ上記主軸を挟んで対称形に配置された単一指向性の右コンデンサマイクロホンユニットおよび左コンデンサマイクロホンユニットと、
を有してなり、
上記ミッド用コンデンサマイクロホンユニットの出力が上記右コンデンサマイクロホンユニットおよび上記左コンデンサマイクロホンユニットの振動板を駆動し、
上記右コンデンサマイクロホンユニットおよび上記左コンデンサマイクロホンユニットの固定極からそれぞれ右チャンネル信号と、左チャンネル信号が出力されるように接続されているステレオ狭指向性マイクロホン。
【請求項２】
指向軸をマイクロホン本体の主軸と一致させて配置された狭指向性のミッド用コンデンサマイクロホンユニットと、
指向軸を上記主軸に直交する方向に向けかつ上記主軸を挟んで対称形に配置された単一指向性の右コンデンサマイクロホンユニットおよび左コンデンサマイクロホンユニットと、
を有してなり、
上記ミッド用コンデンサマイクロホンユニットの出力が上記右コンデンサマイクロホンユニットおよび上記左コンデンサマイクロホンユニットの固定極を駆動し、
上記右コンデンサマイクロホンユニットおよび上記左コンデンサマイクロホンユニットの振動板からそれぞれ右チャンネル信号と、左チャンネル信号が出力されるように接続されているステレオ狭指向性マイクロホン。
【請求項３】
ミッド用コンデンサマイクロホンユニットの出力信号は、その固定極からインピーダンス変換回路を経て出力される請求項１記載のステレオ狭指向性マイクロホン。
【請求項４】
ミッド用コンデンサマイクロホンユニットの出力信号は、その振動板からインピーダンス変換回路を経て出力される請求項２記載のステレオ狭指向性マイクロホン。
【請求項５】
右コンデンサマイクロホンユニットおよび左コンデンサマイクロホンユニットの出力信号は、それらの固定極からインピーダンス変換回路を経て出力される請求項１または３記載のステレオ狭指向性マイクロホン。
【請求項６】
右コンデンサマイクロホンユニットおよび左コンデンサマイクロホンユニットの出力信号は、それらの振動板からインピーダンス変換回路を経て出力される請求項２または４記載のステレオ狭指向性マイクロホン。
【請求項７】
右コンデンサマイクロホンユニットおよび左コンデンサマイクロホンユニットの出力信号は、それぞれバッファアンプを経て出力される請求項１乃至６のいずれかに記載のステレオ狭指向性マイクロホン。
【発明の詳細な説明】
【技術分野】
【０００１】
本発明は、一つの狭指向性マイクロホンユニットと二つの単一指向性マイクロホンユニットを組み合わせたステレオ狭指向性マイクロホンに関するものである。
【背景技術】
【０００２】
ステレオ録音方式の一つにＭＳ方式がある。ＭＳステレオ録音方式は、２本のマイクロホンを用い、その一方をミッド用（以下、その出力信号を「信号Ｍ」という）、他方をサイド用（以下、その出力信号を「信号Ｓ」という）としたものである。ミッド用マイクロホンは単一指向性または狭指向性で音源の中央に向けて設置し、サイド用マイクロホンは双指向性で音源方向に対し直角方向に向けて設置する。そして、信号Ｍと信号Ｓの和Ｍ＋Ｓと、差Ｍ−Ｓを計算して右チャンネルと左チャンネルのステレオ信号に変換し、出力するようになっている。ミッド用およびサイド用のマイクロホンユニットを一つのマイクロホンケース内に収納することによってＭＳ方式ステレオマイクロホンが構成される。
【０００３】
図１２は、従来のＭＳ方式ステレオマイクロホンの例を示す。図１２において、符号２０はミッド用マイクロホンユニットを、３０はサイド用マイクロホンユニットをそれぞれ示している。各マイクロホンユニット２０、３０はコンデンサ型マイクロホンユニットで、マイクロホンユニット２０は適宜の間隔をおいて対向することによりコンデンサを構成する振動板２０１と固定極２０２を有してなり、マイクロホンユニット３０も同様にコンデンサを構成する振動板３０１と固定極３０２を有してなる。ミッド用マイクロホンユニット２０は図示されないマイクロホンケース内に正面を向けて配置され、サイド用マイクロホンユニット３０は上記マイクロホンケース内に横向きに、すなわちミッド用マイクロホンユニット２０の収音軸に対し直角方向に向けて配置されている。ミッド用マイクロホンユニット２０の指向性は単一指向性または狭指向性であり、サイド用マイクロホンユニット３０の指向性は双指向性である。
【０００４】
ミッド用およびサイド用のマイクロホンユニット２０、３０の振動板２０１，３０１はともにグランドＧＮＤに接続されている。ミッド用およびサイド用のマイクロホンユニット２０、３０のいずれも、振動板２０１，３０１が音波を受けて振動すると固定極２０２，３０２との間隔が変化することによって静電容量が変化する。この静電容量の変化を音声信号としてそれぞれの固定極２０２，３０２から出力するようになっている。ミッド用マイクロホンユニット２０の固定極２０２から出力される音声信号はＦＥＴ４０を主体とするインピーダンス変換回路で低インピーダンスに変換される。符号３０はインピーダンス変換回路のバイアス回路を、４１はインピーダンス変換回路の負荷抵抗を示している。ＦＥＴ４０のドレインには直流電源電圧ＶＤＤが印加される。
【０００５】
インピーダンス変換されたミッド用マイクロホンユニット２０からの音声信号は、結合コンデンサ４２を経てトランジスタ４５を主体とするバッファアンプに入力されるように回路が構成されている。上記バッファアンプの出力信号は結合コンデンサ４８を経てマトリクストランス７０およびもう一つのマトリクストランス８０の各一次巻線のプラス端子に入力されるように接続されている。トランジスタ４５のベースには分圧抵抗４３、４４により直流電源電圧ＶＤＤが分圧されて印加され、トランジスタ４５のコレクタには直流電源電圧ＶＤＤが抵抗４６を介して印加され、トランジスタ４５のエミッタは抵抗４７を介してグランドＧＮＤに接続されている。マトリクストランス７０の２次巻線のプラス端子は左チャンネルの出力端子Ｌに接続され、上記２次巻線のマイナス端子はグランドＧＮＤに接続されている。
【０００６】
サイド用のマイクロホンユニット３０側の回路もミッド用マイクロホンユニット２０側の回路と同様に、ＦＥＴ６０を主体とするインピーダンス変換回路、トランジスタ６５を主体とするバッファアンプを有している。バッファアンプを構成するトランジスタ６５のコレクタからはマイクロホンユニット３０の逆相信号−Ｓが出力され、トランジスタ６５のエミッタからはマイクロホンユニット３０の正相信号＋Ｓが出力される。符号５０は上記インピーダンス変換回路のバイアス回路、６１は負荷抵抗、６２はインピーダンス変換回路とバッファアンプとの結合コンデンサ、６３、６４は分圧抵抗、６６は直流電源とトランジスタ６５のコレクタとの間に接続された抵抗、６７はトランジスタ６５のエミッタとグランドＧＮＤとの間に接続された抵抗をそれぞれ示している。トランジスタ６５のコレクタから出力されるマイクロホンユニット３０の逆相信号−Ｓは結合コンデンサ６８を経てマトリクストランス７０の１次巻線のマイナス端子に入力されるように接続されている。トランジスタ６５のエミッタから出力されるマイクロホンユニット３０の正相信号＋Ｓは結合コンデンサ６９を経てマトリクストランス８０の１次巻線のマイナス端子に入力されるように接続されている。マトリクストランス８０の２次巻線のプラス端子は右チャンネルの出力端子Ｒに接続され、上記２次巻線のマイナス端子はグランドＧＮＤに接続されている。
【０００７】
ミッド用マイクロホンユニット２０からの音声信号とサイド用のマイクロホンユニット３０からの音声信号は、それぞれインピーダンス変換されたあと、バッファアンプおよびマトリクストランス７０、８０を経ることによってＭ＋ＳおよびＭ−Ｓの信号に変換され、左チャンネル信号および右チャンネル信号として出力される。具体的には以下の通りである。トランジスタ４５を主体とするバッファアンプから出力されるミッド用マイクロホンユニット２０側の信号をＭとし、サイド用のマイクロホンユニット３０からの音声信号のうちバッファアンプの主体をなすトランジスタ６５のコレクタ側からの出力信号を−Ｓ、エミッタ側からの出力信号を＋Ｓとする。マトリクストランス７０の１次巻線の＋端子には信号Ｍが、−端子には信号−Ｓが入力されるため、マトリクストランス７０の２次巻線の＋端子からはＭ＋Ｓの信号が出力され、この信号は出力端子Ｌから左チャンネルの信号として出力される。一方、マトリクストランス８０の１次巻線の＋端子には信号Ｍが、−端子には信号＋Ｓが入力されるため、マトリクストランス８０の２次巻線の＋端子からはＭ−Ｓの信号が出力され、この信号は出力端子Ｒから右チャンネルの信号として出力される。
【０００８】
このようにして、従来一般的に知られているＭＳ方式ステレオマイクロホンによれば、単一指向性または狭指向性マイクロホンユニットをミッド用とし、双指向性マイクロホンユニットをサイド用とすることにより、左右チャンネルに分離したステレオ音声信号に電気音響変換して出力することができる。しかしながら、双指向性マイクロホンユニットを用いる点が難点になっている。何故なら、マイクロホンユニットの指向性を双指向性とするには、例えば、コンデンサ型マイクロホンユニットの場合、振動板を挟んで両側に固定極を対向させて配置するとともに音響抵抗を対称形に配置し、双方の音響抵抗の値を調整することにより双指向性を得る必要があるからである。しかも、振動板を挟んで音響抵抗を対称形に配置すれば必ず双指向性が得られる訳ではなく、よほど適切な設計をしなければ、双指向性を得ることができないから、双指向性マイクロホンユニットは単一指向性マイクロホンユニットに比べて高価である。また、従来のＭＳ方式ステレオマイクロホンはＭ信号とＳ信号の和と差の信号を得るためのマトリクス回路が必要であり、その分コスト高になる難点がある。ちなみに、図１２に示す例ではマトリクストランス７０、８０がマトリクス回路の機能を果たしている。トランスに代わるマトリクス回路としては、トランジスタなどの能動素子を用いた回路がある。いずれにせよ、マトリクス回路を用いることはコスト高の要因となる。
【０００９】
ＭＳ方式ステレオマイクロホンに関して記載した文献として特許文献１がある。特許文献１記載のステレオマイクロホンは、単一指向性のミッドユニットと、このミッドユニットの向きに対して直角方向に向いた双指向性のサイドユニットを有し、ミッドユニットの固定極とサイドユニットの振動板を電気的に接続し、サイドユニットの第１固定極を第１ＦＥＴのゲートに、サイドユニットの第２固定極を第２ＦＥＴのゲートに接続し、ミッドユニットの振動板、第１、第２ＦＥＴの各ソースをグランドに接続し、第１、第２ＦＥＴの各ドレインからステレオ出力を得るようにしたものである。
【００１０】
特許文献１記載の発明によれば、前述のマトリクス回路が不要であるという利点があるが、サイドユニットとして双指向性マイクロホンユニットを必要とするため、コスト高の要因となっている。
【００１１】
特許文献２には、ＭＳ方式とは異なるが、ＭＳ方式に似た構成のステレオマイクロホンとして、単一指向性または双指向性のミッドユニットと、単一指向性の左サイドユニットおよび右サイドユニットを備えたステレオマイクロホンが記載されている。ミッドユニットは指向軸がマイクロホン本体の主軸と一致するように配置され、左右のサイドユニットはそれぞれの指向軸が上記主軸に直交しかつ主軸を挟んで対称の位置に位置するように配置される。そして、ミッドユニットの出力信号と左サイドユニットの出力信号を加算器で加算して左サイド信号として出力し、ミッドユニットの出力信号と右サイドユニットの出力信号を加算器で加算して右サイド信号として出力するようになっている。
【００１２】
特許文献２記載のステレオマイクロホンによれば、双指向性マイクロホンユニットを用いる必要がないという利点があるが、加算器を用いる必要があるため、コスト高になる難点がある。
【先行技術文献】
【特許文献】
【００１３】
【特許文献１】特開２００６−１７４１３６号公報
【特許文献２】特開平０５−２１９５９０号公報
【発明の概要】
【発明が解決しようとする課題】
【００１４】
本発明は、ここまで説明してきた従来技術の問題点を解消すること、すなわち、ミッド用マイクロホンユニットとサイド用マイクロホンユニットを用いたステレオマイクロホンであって、双指向性マイクロホンユニットを用いる必要がなく、マトリクス回路が不要なステレオ狭指向性マイクロホンを得ることを目的とする。
【課題を解決するための手段】
【００１５】
本発明は、指向軸をマイクロホン本体の主軸と一致させて配置された狭指向性のミッド用コンデンサマイクロホンユニットと、指向軸を上記主軸に直交する方向に向けかつ上記主軸を挟んで対称形に配置された単一指向性の右コンデンサマイクロホンユニットおよび左コンデンサマイクロホンユニットと、を有してなり、ミッド用コンデンサマイクロホンユニットの出力が上記右コンデンサマイクロホンユニットおよび左コンデンサマイクロホンユニットの振動板を駆動し、上記右コンデンサマイクロホンユニットおよび左コンデンサマイクロホンユニットの固定極からそれぞれ右チャンネル信号と、左チャンネル信号が出力されるように接続されていることを最も主要な特徴とする。
また、本発明は、指向軸をマイクロホン本体の主軸と一致させて配置された狭指向性のミッド用コンデンサマイクロホンユニットと、指向軸を上記主軸に直交する方向に向けかつ上記主軸を挟んで対称形に配置された単一指向性の右コンデンサマイクロホンユニットおよび左コンデンサマイクロホンユニットと、を有してなり、ミッド用コンデンサマイクロホンユニットの出力が上記右コンデンサマイクロホンユニットおよび左コンデンサマイクロホンユニットの固定極を駆動し、上記右コンデンサマイクロホンユニットおよび左コンデンサマイクロホンユニットの振動板からそれぞれ右チャンネル信号と、左チャンネル信号が出力されるように接続されていることを最も主要な特徴とする。
【発明の効果】
【００１６】
右コンデンサマイクロホンユニット（以下、「右ユニット」という）および左コンデンサマイクロホンユニット（以下、「左ユニット」という）にそれぞれミッド用コンデンサマイクロホンユニット（以下、「ミッドユニット」という）の出力が加算され、それぞれの加算信号が右チャンネル信号、左チャンネル信号として出力される。ミッドユニットは狭指向性であり、右ユニットおよび左ユニットはそれぞれ単一指向性であるから、双指向性マイクロホンユニットを用いる必要がない。また、ミッドユニットを右ユニットおよび左ユニットに直接的に接続してミッドユニットの出力を右ユニットおよび左ユニットにそれぞれ加算するようになっているため、マトリクス回路が不要であり、低コストのステレオ狭指向性マイクロホンを得ることができる。
【図面の簡単な説明】
【００１７】
【図１】本発明に係るステレオ狭指向性マイクロホンの実施例を示す回路図である。
【図２】上記実施例中のミッドユニットの指向特性を示すグラフである。
【図３】上記ミッドユニットの周波数特性を示すグラフである。
【図４】上記実施例中の左ユニットの指向特性を示すグラフである。
【図５】上記左ユニットの周波数特性を示すグラフである。
【図６】上記実施例中の右ユニットの指向特性を示すグラフである。
【図７】上記右ユニットの周波数特性を示すグラフである。
【図８】上記実施例中のミッドユニットと左ユニットの出力を加算することによって得られる左チャンネル信号の指向特性を示すグラフである。
【図９】上記左チャンネル信号の周波数特性を示すグラフである。
【図１０】上記実施例中のミッドユニットと右ユニットの出力を加算することによって得られる右チャンネル信号の指向特性を示すグラフである。
【図１１】上記右チャンネル信号の周波数特性を示すグラフである。
【図１２】従来のステレオマイクロホンの例を示す回路図である。
【発明を実施するための形態】
【００１８】
以下、本発明に係るステレオ狭指向性マイクロホンの実施例について、図面を参照しながら説明する。
【実施例】
【００１９】
図１において、符号１，２，３はそれぞれマイクロホンユニットを示しており、ユニット１はミッドユニットを、２は右ユニットを、３は左ユニットをそれぞれ示している。各ユニット１、２、３はコンデンサ型マイクロホンユニットで、ミッドユニット１は適宜の間隔をおいて対向することによりコンデンサを構成する振動板１１と固定極１２を有している。同様に、右ユニット２もコンデンサを構成する振動板２１と固定極２２を有し、左ユニット３もコンデンサを構成する振動板３１と固定極３２を有してなる。ミッドユニット１は図示されないマイクロホンケース内に正面を向けて、より具体的には指向軸をマイクロホン本体の主軸と一致させて配置されている。右ユニット２と左ユニット３は、マイクロホンケース内に横向きに、すなわち指向軸を上記主軸に対し直交する方向に向けて、かつ、互いに外向きに、上記主軸を挟んで対称形に配置されている。ミッドユニット１の指向性は狭指向性であり、例えば細長い音響管の一端部にマイクロホンモジュールが取り付けられることによって狭指向性が与えられている。右および左ユニット２，３の指向性は単一指向性である。ミッドユニット１と右および左ユニット２，３を配置するマイクロホンケースは一体成形されたものであってもよいし、個別のケースを一体に結合したものであってもよい。
【００２０】
ミッドユニット１の振動板１１はグランドＧＮＤに接続され、ミッドユニット１によって電気音響変換された音声信号は固定極１２から出力されるようになっている。上記音声信号はインピーダンス変換回路を構成するＦＥＴ５によりインピーダンス変換され、結合コンデンサ５２を経て右および左ユニット２，３の振動板２１，３１に加えられるように接続されている。上記インピーダンス変換回路は自己バイアス回路４を有している。ＦＥＴ５のソースとグランドＧＮＤとの間には上記インピーダンス変換回路の負荷抵抗５１が接続されている。右および左ユニット２，３の振動板２１，３１とグランドＧＮＤとの間には抵抗５３が接続されている。
【００２１】
右および左ユニット２，３で電気音響変換された音声信号は固定極２２，３２から出力されるようになっている。これらの音声信号はインピーダンス変換回路を構成するＦＥＴ７、９により個別にインピーダンス変換され、それぞれ結合コンデンサ１１１、１２１を経てバッファ１０に入力されるように接続されている。前記ＦＥＴ５および上記ＦＥＴ７、９のドレインには電源端子１３０から直流電圧ＶＤＤが印加される。ＦＥＴ７、９はそれぞれ自己バイアス回路６，８を備えている。ＦＥＴ７のソースとグランドＧＮＤとの間には上記インピーダンス変換回路の負荷抵抗７１が、同様に、ＦＥＴ９のソースとグランドＧＮＤとの間には上記インピーダンス変換回路の負荷抵抗９１が接続されている。
【００２２】
バッファ１０は、右ユニット２の出力信号を入力とするトランジスタ１１０と、左ユニット３の出力信号を入力とするトランジスタ１２０を有してなる。各トランジスタ１１０、１２０のコレクタは直流電圧ＶＤＤに接続され、各トランジスタ１１０、１２０のベースは抵抗１１２，１２２を介して電源電圧ＶＤＤに接続されている。各トランジスタ１１０、１２０のエミッタはそれぞれ負荷抵抗１１３，１２３を介してグランドＧＮＤに接続されるとともに、上記各エミッタはそれぞれ出力端子１３１，１３２に接続されている。出力端子１３１は右チャンネルの出力端子、出力端子１３２は左チャンネルの出力端子である。上記電源端子１３０、出力端子１３１、１３２およびグランドＧＮＤに接続されている端子１３３を経て外部回路と接続されるようになっている。
【００２３】
次に、上記実施例の動作を説明する。ミッドユニット１はマイクロホン本体の正面からの音波を電気音響変換して音声信号を出力し、この音声信号はＦＥＴ５でインピーダンス変換され出力される。この音声信号をミッド信号Ｍとする。右ユニット２はマイクロホン本体の右側からの音波を電気音響変換して音声信号を出力し、この音声信号ＦＥＴ７でインピーダンス変換され出力される。左ユニット３はマイクロホン本体の左側からの音波を電気音響変換して音声信号を出力し、この音声信号はＦＥＴ９でインピーダンス変換され出力される。上記ミッド信号Ｍは、右ユニット２の振動板２１に加えられて振動板２１を駆動し、また、左ユニット３の振動板３１に加えられて振動板３１を駆動するため、右ユニット２からは右ユニット２自身で電気音響変換した音声信号（この音声信号を「Ｒ」とする）にミッド信号Ｍを加算した信号Ｍ＋Ｒが出力される。また、左ユニット３からは左ユニット３自身で電気音響変換した音声信号（この音声信号を「Ｌ」とする）にミッド信号Ｍを加算した信号Ｍ＋Ｌが出力される。
【００２４】
上記信号Ｍ＋Ｒ及びＭ＋Ｌはそれぞれトランジスタ１１０，１２０を有してなるバッファ１０を経て出力端子１３１および出力端子１３２から出力される。出力端子１３１から出力される信号Ｍ＋Ｒは右チャンネルの信号、出力端子１３２から出力される信号Ｍ＋Ｌは左チャンネルの信号である。このようにして、図１に示す実施例に係るステレオ狭指向性マイクロホンからは、右チャンネル信号と左チャンネル信号に分離したステレオ信号が出力される。
【００２５】
なお、上記説明において、ミッド信号Ｍが右ユニット２の振動板２１及び左ユニット３の振動板３１を「駆動」するとは、電気的に信号を加算する、というほどの意味である。したがって、図示の例のようにミッド信号Ｍを左右のユニット２、３の振動板２１、３１に入力する構成に限定されるものではなく、ミッド信号Ｍを左右のユニット２、３の固定極２２，３２に入力し、振動板２１，３１から右信号、左信号を出力する構成にしてもよい。また、ミッドユニット１についても、固定極１２をグランドＧＮＤに落とし、振動板１１からミッド信号Ｍを出力してこの信号Ｍを左右のユニット２、３に入力するようにしてもよい。なお、上記のように左右のユニット２、３およびミッドユニット１の出力を振動板から出力する場合、それぞれの信号の位相が反転する。そこで、上記各ユニットの出力信号の位相を反転させるように回路を構成するとよい。
【００２６】
図２乃至図１１は、本発明の実施例の指向特性と周波数特性を実測したグラフである。図２はミッドユニット１の指向特性を示している。ミッドユニット１は狭指向性のユニットであるから、左右方向への広がりが狭く、正面方向に集中した指向特性になっている。図３はミッドユニット１の周波数特性を示している。指向軸０°方向すなわち正面からの音声に対しては低い周波数から高い周波数までほぼ平坦な特性になっている。
【００２７】
図４は左ユニット３の指向特性、図５は左ユニット３の周波数特性、図６は右ユニット２の指向特性、図７は右ユニット２の周波数特性をそれぞれ示している。図４、図６に示す指向特性は、左右のユニット３、２自身の正面方向を指向軸０°として表している。左ユニット３と右ユニット２はともに単一指向性で同じ仕様で製作されているため、図４、図６に示す指向特性はほぼ同じであり、図５、図７に示す周波数特性もほぼ同じになっている。図５、図７に示す周波数特性において、それぞれのユニットにおける正面すなわち０°の特性をみると、低い周波数領域において信号レベルが落ち込んでいる。
【００２８】
図８は、左チャンネルの出力信号すなわちＭ＋Ｌ信号の指向特性、図９は上記Ｍ＋Ｌ信号の周波数特性を示す。また、図１０は、右チャンネルの出力信号すなわちＭ＋Ｒ信号の指向特性、図１１は上記Ｍ＋Ｒ信号の周波数特性を示す。図８、図１０は、マイクロホン本体の正面すなわちミッドユニット１の指向軸を０°として表している。図８からわかるように、Ｍ＋Ｌ信号である左チャンネル信号の指向軸は左側にほぼ３０°傾いている。また、図１０からわかるように、Ｍ＋Ｒ信号である右チャンネル信号の指向軸は右側にほぼ３０°傾いている。このことから、左右からの音声を分離したステレオ信号を得ることができる。また、図９、図１１に示す周波数特性において、正面すなわち０°の特性をみると、低域から高域までほぼ平坦になっている。
【００２９】
以上説明した実施例によれば、ＭＳ方式ステレオマイクロホンのようにサイドユニットとして双指向性のユニットを使用するものではないため、定位感に優れたステレオ信号を得ることはできないが、目的音を確実に収音することができるとともに、音の到来方向を感じることができるステレオ信号を得ることができる。
また、ミッドユニットの出力信号を左右のユニットに直接的に加えることによりステレオ信号を得ることができるため、従来のＭＳ方式ステレオマイクロホンのようなマトリクス回路が不要であるとともに、コストが高くなる双指向性ユニットを使用する必要がないため、コストを低減することができ、軽量化及びコンパクト化を図ることができる。
【産業上の利用可能性】
【００３０】
本発明に係るステレオ狭指向性マイクロホンは、例えば、スポーツの中継ないしは録音において、環境音の収音用マイクロホンとして、あるいはインタビュー用のマイクロホンとして利用することができ、その他、本発明の特性を活かした様々な利用方法が考えられる。
【符号の説明】
【００３１】
１    ミッド用コンデンサマイクロホンユニット
２    右コンデンサマイクロホンユニット
３    左コンデンサマイクロホンユニット
５    ＦＥＴ
７    ＦＥＴ
９    ＦＥＴ
１０    バッファ
１１    振動板
１２    固定極
２１    振動板
２２    固定極
３１    振動板
３２    固定極
【図１】
0005522693.tif 000002
【図２】
0005522693.tif 000003
【図３】
0005522693.tif 000004
【図４】
0005522693.tif 000005
【図５】
0005522693.tif 000006
【図６】
0005522693.tif 000007
【図７】
0005522693.tif 000008
【図８】
0005522693.tif 000009
【図９】
0005522693.tif 000010
【図１０】
0005522693.tif 000011
【図１１】
0005522693.tif 000012
【図１２】
0005522693.tif 000013